【手続補正書】
【提出日】令和3年11月12日(2021.11.12)
【手続補正１】
【補正対象書類名】特許請求の範囲
【補正対象項目名】全文
【補正方法】変更
【補正の内容】
【特許請求の範囲】
【請求項１】
生検針と、
前記生検針に結合された試料マニホールドであって、前記試料マニホールドが受け口および挿入軸を有し、前記試料受け口が、内側側壁と、前記内側側壁から前記挿入軸に向かって内向きに突出する取り付けピンとを有する、試料マニホールドと、
前記受け口に挿入されるように構成され、キャップ部分とバスケット部分とヒンジとを有し、前記キャップ部分が前記ヒンジによって前記バスケット部分に接続された試料容器と
を備える、生検装置。
【請求項２】
前記試料容器が、前記試料容器が回転されたときに前記受け口の前記取り付けピンに係合および追従するように寸法設定および位置決めされた取り付けチャネルを含み、
前記取り付けチャネルが開端部および閉端部を有し、
前記受け口の前記取り付けピンが前記試料容器の前記取り付けチャネルの前記開端部に受けられたとき、前記試料容器が回転すると、前記取り付けピンが前記閉端部に向かって前記取り付けチャネルの螺旋形状に追従し、それにより、前記挿入軸に沿って前記マニホールドの前記受け口へと前記試料容器が引き込まれ、
前記取り付けチャネルが、前記試料容器の１回転未満の弓状に曲がった距離を螺旋状に延びている、請求項１に記載の生検装置。
【請求項３】
前記開端部が前記試料マニホールドの前記取り付けピンを受けるように位置決めされて、前記試料容器が前記試料マニホールドの前記受け口に対して前記挿入軸を中心に回転する配向を提供する、請求項２に記載の生検装置。
【請求項４】
前記バスケット部分が床部を含み、前記床部が凹型内側表面および複数の穴を有し、前記複数の穴により、真空が前記試料容器を通って進んで、前記生検針から前記床部の前記凹型内側表面へと組織試料を送達することが可能になる、
請求項１から３のいずれかに記載の生検装置。
【請求項５】
前記ヒンジが、前記キャップ部分および前記バスケット部分のうちの一方または両方が前記ヒンジの周りを閉位置と開位置との間で枢動することを可能にし、前記開位置により、前記試料容器の内容物へのアクセスが可能になる、請求項１に記載の生検装置。
【請求項６】
前記試料容器が前記閉位置にあるとき、前記キャップ部分の部分側壁が前記バスケット部分の部分側壁に重なってスナップフィットを形成する、請求項５に記載の生検装置。
【請求項７】
前記試料容器の前記キャップ部分が蓋部および部分側壁を含み、前記蓋部がドーム状キャップおよび環状リムを含み、前記環状リムが前記ドーム状キャップと接続して環状リップを画定し、前記取り付けチャネルが前記環状リムに形成され、前記環状リムの周りで螺旋状に延びている、請求項５に記載の生検装置。
【請求項８】
前記マニホールドの前記受け口から前記試料容器を取り外す必要なしに前記試料容器の前記内容物の目視検査を可能にするために、前記ドーム状キャップが透明または半透明である、請求項７に記載の生検装置。
【請求項９】
前記ドーム状キャップが拡大要素を含む、請求項８に記載の生検装置。
【請求項１０】
前記環状リムの周りに配置された封止材を備えて、前記試料容器と前記マニホールドの前記受け口との間に真空気密封止部を形成する、請求項７から９のいずれかに記載の生検装置。
【請求項１１】
前記バスケット部分が床部を含み、前記床部が凹型内側表面および複数の穴を有し、前記複数の穴により、真空が前記試料容器を通って進んで、前記生検針から前記床部の前記凹型内側表面へと組織試料を送達することが可能になる、請求項５から１０のいずれかに記載の生検装置。
【請求項１２】
前記試料容器の前記キャップ部分と前記バスケット部分とがともにアパーチャおよび内側試料チャンバを画定し、前記生検針が、前記アパーチャへと延在する近位端部分を有する真空カニューレを含んで、前記生検針から前記内側試料チャンバへと真空によって組織試料を送達する、請求項５から１１のいずれかに記載の生検装置。
【請求項１３】
前記試料容器の前記アパーチャは、前記試料容器が閉位置にあるときに前記キャップ部分の第１の半円アパーチャが前記バスケット部分の第２の半円アパーチャに隣接して位置決めされることによって形成される、請求項１２に記載の生検装置。
【請求項１４】
請求項１から１３のいずれかに記載の生検装置とともに使用するための同軸イントロデューサ・カニューレであって、前記生検装置が、受け具を有する前方プレートを有し、前記生検針が前記前方プレートから長手方向軸上に延在し、前記同軸イントロデューサ・カニューレが、
前記生検針の上に同軸かつ摺動可能に受けられるように寸法設定された同軸カニューレと、
ハブとを備え、前記ハブが、前記同軸カニューレの近位部分に固定的に取り付けられ、前記ハブが、ハブ本体、ラッチレバー、およびラッチを有し、前記ラッチが、前記受け具に回転可能に係合するように構成され、前記ラッチレバーが、前記長手方向軸に対して前記ハブ本体から半径方向に延在し、前記ラッチレバーに手を届かせ、前記生検装置の前記前方プレートに対して前記ハブが回転するように前記ラッチレバーを回転操作することができるように、前記ラッチレバーが前記前方プレートの高さよりも長く、それにより、前記前方プレートに対する前記同軸イントロデューサ・カニューレの片手での回転を容易にし、前記同軸イントロデューサ・カニューレの前記ラッチを前記前方プレートの前記受け具に係合または係合解除させることが可能になる、同軸イントロデューサ・カニューレ。
【請求項１５】
前記ラッチレバーの回転運動が時計回りでも反時計回りでもよく、それによって両手利きの動作が可能になる、請求項１４に記載の、生検装置とともに使用するための同軸イントロデューサ・カニューレ。
【請求項１６】
前記ラッチレバーが前記ハブ本体に対して近位に角度を付けられており、それにより、前記ラッチレバーは、前記ハブが前記前方プレートに軸方向に着座する前に前記前方プレートに係合し、それにより、前記ラッチレバーが遠位方向に偏向する、請求項１４または１５に記載の、生検装置とともに使用するための同軸イントロデューサ・カニューレ。
【請求項１７】
前記前方プレートの第１のロック要素と前記ハブの第２のロック要素とを備え、これらは係合されると、前記長手方向軸を中心とする前記同軸イントロデューサ・カニューレの回転を不可能にはしないが、それに抵抗することになる、請求項１４から１６のいずれかに記載の、生検装置とともに使用するための同軸イントロデューサ・カニューレ。
【請求項１８】
前記第２のロック要素が、前記ラッチレバー上に、または前記ラッチレバーの中に位置決めされる、請求項１７に記載の、生検装置とともに使用するための同軸イントロデューサ・カニューレ。
【請求項１９】
前記第１のロック要素および前記第２のロック要素により、穴／突出部機構または磁気機構が形成される、請求項１４から１８のいずれかに記載の、生検装置とともに使用するための同軸イントロデューサ・カニューレ。
【請求項２０】
前記受け具が、前記前方プレートから遠位方向に外方へ突出する１組のスロット付き突出部であり、前記スロット付き突出部が、前記長手方向軸から離れる方向に向いた、互いに反対の側に位置するそれぞれのスロットを有し、
前記ハブ本体が、側壁を画定する円筒形の凹部を有し、前記ラッチが、前記ハブ本体の前記円筒形の凹部の前記側壁から前記長手方向軸に向かって半径方向に内向きに延在する１組のタブの形をとる、
請求項１４から１９のいずれかに記載の、生検装置とともに使用するための同軸イントロデューサ・カニューレ。
【請求項２１】
生検針と、
前記生検針に結合された試料マニホールドであって、前記試料マニホールドが受け口および挿入軸を有し、前記試料受け口が、内側側壁と、前記内側側壁から前記挿入軸に向かって内向きに突出する取り付けピンとを有する、試料マニホールドと、
前記受け口に挿入されるように構成された試料容器であって、前記試料容器が、前記試料容器が回転されたときに前記受け口の前記取り付けピンに係合および追従するように寸法設定および位置決めされた取り付けチャネルを含む、試料容器と
を備え、
前記取り付けチャネルが開端部および閉端部を有し、
前記受け口の前記取り付けピンが前記試料容器の前記取り付けチャネルの前記開端部に受けられたとき、前記試料容器が回転すると、前記取り付けピンが前記閉端部に向かって前記取り付けチャネルの螺旋形状に追従し、それにより、前記挿入軸に沿って前記マニホールドの前記受け口へと前記試料容器が引き込まれる、生検プローブ組立体。
【請求項２２】
前記取り付けチャネルが、前記試料容器の１回転未満の弓状に曲がった距離を螺旋状に延びている、請求項２１に記載の生検プローブ組立体。
【請求項２３】
前記開端部が前記試料マニホールドの前記取り付けピンを受けるように位置決めされて、前記試料容器が前記試料マニホールドの前記受け口に対して前記挿入軸を中心に回転する配向を提供する、請求項２１または２２に記載の生検プローブ組立体。
【請求項２４】
前記試料容器が、キャップ部分とバスケット部分とヒンジとを有し、前記キャップ部分が前記ヒンジによって前記バスケット部分に接続されている、請求項２１から２３のいずれかに記載の生検プローブ組立体。
【請求項２５】
前記試料容器が、ヒンジによって接続されたキャップ部分とバスケット部分とを有して、前記キャップ部分および前記バスケット部分のうちの一方または両方が前記ヒンジの周りを閉位置と開位置との間で枢動することを可能にし、前記開位置により、前記試料容器の内容物へのアクセスが可能になる、請求項２１から２３のいずれかに記載の生検プローブ組立体。
【請求項２６】
前記試料容器が前記閉位置にあるとき、前記キャップ部分の部分側壁が前記バスケット部分の部分側壁に重なってスナップフィットを形成する、請求項２５に記載の生検プローブ組立体。
【請求項２７】
前記試料容器の前記キャップ部分が蓋部および部分側壁を含み、前記蓋部がドーム状キャップおよび環状リムを含み、前記環状リムが前記ドーム状キャップと接続して環状リップを画定し、前記取り付けチャネルが前記環状リムに形成され、前記環状リムの周りで螺旋状に延びている、請求項２５に記載の生検プローブ組立体。
【請求項２８】
前記マニホールドの前記受け口から前記試料容器を取り外す必要なしに前記試料容器の前記内容物の目視検査を可能にするために、前記ドーム状キャップが透明または半透明である、請求項２７に記載の生検プローブ組立体。
【請求項２９】
前記ドーム状キャップが拡大要素を含む、請求項２８に記載の生検プローブ組立体。
【請求項３０】
前記環状リムの周りに配置された封止材を備えて、前記試料容器と前記マニホールドの前記受け口との間に真空気密封止部を形成する、請求項２７から２９のいずれかに記載の生検プローブ組立体。
【請求項３１】
前記バスケット部分が床部を含み、前記床部が凹型内側表面および複数の穴を有し、前記複数の穴により、真空が前記試料容器を通って進んで、前記生検針から前記床部の前記凹型内側表面へと組織試料を送達することが可能になる、請求項２５から３０のいずれかに記載の生検プローブ組立体。
【請求項３２】
前記試料容器の前記キャップ部分と前記バスケット部分とがともにアパーチャおよび内側試料チャンバを画定し、前記生検針が、前記アパーチャへと延在する近位端部分を有する真空カニューレを含んで、前記生検針から前記内側試料チャンバへと真空によって組織試料を送達する、請求項２５から３１のいずれかに記載の生検プローブ組立体。